(57)【要約】【課題】ケース内に侵入した水分を積極的に排出できるようにする。【解決手段】ケース手段内に侵入した開閉体手段から滴り落ちる水成分を水カバー手段によって所定の方向に移動させ、移動した水をそこに設けられた水案内手段を用いてケース手段の両側に案内し、案内された水をケース手段の両側に設けられた排出口などからケース外に排出するようにしたものである。このように、ケース手段内に侵入した水成分をケースの両側に案内し、そこから積極的に排出することによって、ケース手段内の部品等のさびの発生を有効に抑制することができると共にケース手段のすきまから侵入した水成分が漏れるなどの不具合が生じることを防止することができる。【選択図】図７
2008082033.tif 000002
【特許請求の範囲】
【請求項１】
構造物躯体の開口部を開閉するように動作する開閉体手段と、
前記開閉体手段を収納するケース手段とを備えた開閉体装置において、
前記ケース手段内に前記開閉体手段を収納する場合に、前記開閉体手段に付着して前記ケース手段内に侵入した水成分が前記ケース手段内で滴り落ちたときに、その水成分を所定方向に移動させる水カバー手段と、
前記水カバー手段を介して移動して来た水成分が前記ケース手段の両端部に流れるように案内する水案内手段と、
前記水案内手段を伝わって来た水成分をケース手段の外側に排出する排水手段と
を設けたことを特徴とする開閉体装置。
【請求項２】
請求項１に記載の開閉体装置において、前記排水手段は、内まぐさ取付部の平坦部に形成された半円形状の湾曲部分と、前記ケース手段の底板との間に形成された半円筒形状の空洞によって構成される排出口から構成され、前記水案内手段を伝わってきた水成分を前記排出口を介して前記ケース手段の外側に排出することを特徴とする開閉体装置。
【請求項３】
請求項１又は２に記載の開閉体装置において、
前記開閉体手段の側縁部の一部を案内するガイドレール手段を備え、
前記排水手段から排出される水成分を前記ガイドレール手段内に設けられた排水通路を通過させて外部に排水するようにしたことを特徴とする開閉体装置。
【請求項４】
請求項１、２又は３に記載の開閉体装置において、
前記ケース手段の底板は、前記開口部から離れるに従って徐々に高くなるように傾斜しており、
前記水カバー手段は、滴り落ちた水成分を前記開口部から離れる方向に移動させるように構成され、
前記水案内手段は、前記開口部から離れた位置から前記開口部に近い位置に向かって傾斜した直線状またはほぼ直線状の突出部で構成されていることを特徴とする開閉体装置。
【発明の詳細な説明】
【技術分野】
【０００１】
本発明は、ビル、工場、倉庫などの建物を含む構造物躯体の開口部に設置される開閉体装置に関する。
【背景技術】
【０００２】
図１は、従来の開閉体装置の全体構成の一例として、従来のシャッター装置の全体構成を示す図である。図２は、図１のガイドレール１３，１４の取り付け状態を図１のシャッター装置のＡ−Ａ断面であらわした図である。シャッター装置１０は、開口部上側の構造物躯体に取り付けられシャッターケース１と、このシャッターケース１内に回動可能に設けられた巻取シャフト２によって巻き取られたり巻き戻されたりするシャッターカーテン１２と、シャッターカーテン１２の両端部を案内するように開口部側壁の構造物躯体に設けられたガイドレール１３，１４などから構成される。シャッターカーテン１２は、複数の横長略短冊状のスラット１１が上下に連結して構成されている。このシャッターカーテン１２は、上下方向に長手垂直に立設された左右一対のガイドレール１３，１４にそれぞれの対応する左右の側縁部がガイドレール１３，１４内に挿入され、この側縁部がガイドレール１３，１４に沿って昇降案内されるようになっている。このような一般的な開閉体装置については、特許文献１に示すようなものがある。
【特許文献１】特開２００４−０３６３４６号公報
【発明の開示】
【発明が解決しようとする課題】
【０００３】
シャッターカーテン１２の全閉状態に雨などによって、その表面に水滴などが付着し、そのままシャッターカーテン１２が巻取られると、シャッターカーテン１２に付着していた水滴がシャッターケース１内に侵入し、シャッターケース１内に溜まることがある。通常、シャッターカーテン１２の出入口となるシャッターケース１の下側部材に設けられた長尺状の開口部近傍には、まぐさ部材が設けられており、ガイドレール１３，１４は、この長尺状の開口部の両側端部であって、まぐさ部材の壁面に沿って嵌挿された状態にあるため、シャッターケース１内に溜まった水は、シャッターカーテン１２の出入口となる開口部から排出されにくい。また、シャッターケース１には、侵入した水分などを積極的に排出するための排出口などを備えていないのが現状である。従って、従来の開閉体装置では、シャッターケース１内に溜まった水によって、さびが発生したり、シャッターケース１のすきまから水が漏れるなどの不具合が発生するおそれがあった。
【０００４】
本発明の目的は、ケース内に侵入した水分を積極的に排出することのできる開閉体装置を提供することにある。
【課題を解決するための手段】
【０００５】
本発明の開閉体装置の第１の特徴は、構造物躯体の開口部を開閉するように動作する開閉体手段と、前記開閉体手段を収納するケース手段とを備えた開閉体装置において、前記ケース手段内に前記開閉体手段を収納する場合に、前記開閉体手段に付着して前記ケース手段内に侵入した水成分が前記ケース手段内で滴り落ちたときに、その水成分を所定方向に移動させる水カバー手段と、前記水カバー手段を介して移動して来た水成分が前記ケース手段の両端部に流れるように案内する水案内手段と、前記水案内手段を伝わって来た水成分をケース手段の外側に排出する排水手段とを設けたことにある。
開閉体手段は、ビル、住宅、工場、倉庫等の建物などの構造物における、出入口や窓部、あるいは内部の通路や空間などの開口部などを開閉移動するシャッターカーテンなどの開閉部材で構成され、災害発生時や閉店時などに防火・防煙・防水・防風・防犯などの目的で開口部を仕切るためにガイドレール手段に沿って繰り出される。これ以外にも開閉体手段が開口部の側部に収納され横引き方式で開閉移動したり、開口部の下部に収納され上昇方式で開閉移動したりすることもある。通常、シャッターカーテンなどの開閉部材は、カール部を介して多段接続されている。このカール部の形状によっては、閉鎖時にこのカール部に雨水がたまり、それが巻取り時にケース手段内に侵入することがあり得る。そこで、この発明では、ケース手段内に侵入した開閉体手段から滴り落ちる水成分を水カバー手段によって所定の方向に移動させ、移動した水をそこに設けられた水案内手段を用いてケース手段の両側に案内し、案内された水をケース手段の両側に設けられた排出口などの排水手段からケース外に排出するようにしたものである。このように、ケース手段内に侵入した水成分をケースの両側に案内し、そこから積極的に排出することによって、ケース手段内の部品等のさびの発生を有効に抑制することができると共にケース手段のすきまから侵入した水成分が漏れるなどの不具合が生じることを防止することができる。
【０００６】
本発明の開閉体装置の第２の特徴は、前記第１の特徴に記載の開閉体装置において、前記排水手段は、内まぐさ取付部の平坦部に形成された半円形状の湾曲部分と、前記ケース手段の底板との間に形成された半円筒形状の空洞によって構成される排出口から構成され、前記水案内手段を伝わってきた水成分を前記排出口を介して前記ケース手段の外側に排出することにある。これは、ケース手段の両側に案内された水をケース外に排出する排水手段の構成を具体的にしたものであり、内まぐさ取付部の一部を湾曲させた湾曲部分とケース手段の底板とを密着させ、両者の間に形成された半円筒形状の空洞部分を排出口手段として利用するようにしたものである。
【０００７】
本発明の開閉体装置の第３の特徴は、前記第１又は第２の特徴に記載の開閉体装置において、前記開閉体手段の側縁部の一部を案内するガイドレール手段を備え、前記排水手段から排出される水成分を前記ガイドレール手段内に設けられた排水通路を通過させて外部に排水するようにしたことにある。これは、排水手段から排出された水をさらにガイドレール手段内の排水通路を介して排水するようにしたものである。このように水成分をガイドレール手段内の排水通路内を伝わって排水することによって、水が周囲に飛び散りにくくなり、スムーズな排水を可能とすることができる。
【０００８】
本発明の開閉体装置の第４の特徴は、前記第１、第２又は第３の特徴に記載の開閉体装置において、前記ケース手段の底板は、前記開口部から離れるに従って徐々に高くなるように傾斜しており、前記水カバー手段は、滴り落ちた水成分を前記開口部から離れる方向に移動させるように構成され、前記水案内手段は、前記開口部から離れた位置から前記開口部に近い位置に向かって傾斜した直線状またはほぼ直線状の突出部で構成されていることにある。これは、排水手段を構成するケース手段、水カバー手段及び水案内手段の構成を具体的にしたものであり、ケース手段の底板が傾斜しており、水を流し易くなっており、水カバー手段は、この底板の高い位置に水を移動させ、移動後の水はほぼ直線状の突出部からなる水案内手段によって案内されながらケース手段の底板の傾斜を流れるようにした。これによって、ケース手段内における水成分の流れを一定化し、スムーズな排水経路を確保することが可能となる。
【発明の効果】
【０００９】
本発明の開閉体装置によれば、ケース内に侵入した水分を積極的に排出することができるという効果がある。
【発明を実施するための最良の形態】
【００１０】
以下、図面に従って本発明の好ましい実施の形態としてシャッター装置について説明する。シャッター装置は、ビル、工場、倉庫などの建物を含む構造物躯体の開口部に設置されるものである。シャッター装置自体は、図１及び図２の従来のシャッター装置について説明した構成と同様の構成を有するものであるので、その説明は省略する。
【００１１】
図３は、本発明に係るシャッター装置のシャッターケース内部の構成を示す図であり、図２におけるシャッターケースをシャッターケース内の図中右側から見た図である。図４は、図３のシャッターケースをシャッターケース内の図中左側から見た側面図である。図５は、図３のシャッターケースをシャッターケース内の図中下側から見た下面図である。従って図３〜図５では、シャッターケース内からシャッターケースを見ているので、図面の前面側に現れるシャッターケースは省略して示してあり、ガイドレールやシャッターカーテンも省略して示してある。また、図３及び図５では、シャッターケースの一部を省略線３ａ，３ｂを用いて省略して示してある。
【００１２】
シャッターケース１内には、巻取体４が設けられている。この巻取体４は、シャッターケース１の左右のブラケット１ａ，１ｂによって回転不能に支持されて回転しない中心軸１ｃと、この中心軸１ｃにそれぞれが軸受けを介して回転自在に支持され、中心軸１ｃの軸方向に離れて配置された複数のホイール部材１ｄと、これらのホイール部材１ｄ同士を連結している連結バー１ｅとで構成されている。
【００１３】
この巻取体４の中で、複数のホイール部材１ｄと連結バー１ｅから構成され、中心軸１ｃを中心に回転するものを回転体と称する。この回転体のホイール部材１ｄにはシャッターカーテンの上端部が連結されており、中心軸１ｃを中心とする回転体の正逆回転により、シャッターカーテンは、巻取体４に巻き取られたり、巻取体４から繰り出されたりすることになる。中心軸１ｃの軸方向におけるそれぞれのホイール部材１ｄ間の中心軸１ｃの周囲には、コイルバネ１ｆが巻回されている。このコイルバネ１ｆは、中心軸１ｃに対して回転体を巻取り方向（図４の時計方向）へ回転させるように、その一端部が中心軸１ｃ本体に止着されるとともに他端がホイール部材１ｄに止着されている。
【００１４】
この実施の形態では、シャッターケース１の底板側に水カバー３１が設けられている。この水カバー３１は、内まぐさ３０にビスやリベットなどの固定具によって取り付けられている。水カバー３１は、図４に示すように、内まぐさ３０からシャッターケース１の中心軸１ｃの直下付近まで延びた板状部材で構成されている。さらに、シャッターケース１の底板側には、例えば、合成ゴムに難燃剤を混合した混和物を発泡させた連続気泡タイプの柔軟な発泡体からなるなどした、棒状の水案内手段３２，３３が接着剤などで固定されている。図６は、水案内手段がシャッターケースに底板にどのように設けられているのかを示す図であり、シャッターケースの底板と水案内手段とを抜き出して示した図である。水カバー３１は、内まぐさ３０の高さから水案内手段３２，３３に接触するように傾斜しており（図４参照）、巻取体４に巻回されたシャッターカーテン１２から滴る水滴が水カバー３１の上面側を流れ落ち、水案内手段３２，３３に沿ってシャッターケース１の両端側に導かれるようになっている。なお、図４では、水カバー３１が水案内手段３２，３３に接触することによって、水カバー３１の自重によって水案内手段３２，３３の先端部の角部が若干押しつぶされた状態になっている。
【００１５】
シャッターケース１の底板側は、図４に示すように、図中右側が若干高く、図中左側に傾斜するような構成になっており、開口部（シャッター装置１０が設置される構造物躯体の開口部またはシャッターカーテン１２の開閉面）から離れるにしたがって徐々に高くなるように傾斜している。この傾斜した底板に、図６に示すようにして水案内手段３２，３３が設けられている。水案内手段３２，３３の対向する一端部側は、水カバー３１の先端部に近い位置（内まぐさ３０から最も離れた位置）に、水案内手段３２，３３のそれぞれの他端部側は、内まぐさ３０及びシャッターケース１の左右ブラケット１ａ，１ｂに近い位置であって、水排出部３４，３５に水が流れ込むように配置されている。図７は、図３の上前面側からシャッターケースの一部を切り取って右ブラケット付近の内まぐさ取付部の水排出部と水案内手段との関係を示す図である。図７では、図３〜図５に示している内まぐさ３０と水カバー３１および巻取シャフト２は省略してある。右ブラケット１ｂの下側、すなわち、シャッターケース１の底板側には、外まぐさ取付部６１と内まぐさ取付部６２が設けられており、内まぐさ取付部６２には、水排出部３５が形成されている。この水排出部３５は、シャッターケース１の底板と接触する内まぐさ取付部６２が、その厚みで水成分の流れをせき止めないようにし、さらに水成分を排出するのに好ましい方向へ導くため、内まぐさ取付部６２の平坦部に形成された半円形状の湾曲部分であり、この湾曲部分の下側の平坦部とシャッターケース１の底板とが接触することによって形成された水などの流体が通り抜け可能な半円筒形状の空洞によって構成されている。
【００１６】
以上にように、巻取体４に巻回されたシャッターカーテン１２から滴る水滴は、水カバー３１の上面側を流れ落ち、水案内手段３２，３３に沿ってシャッターケース１の両端側に導かれ、さらにその水は、図７の点線矢印７０ａのように水案内手段３３を伝わってシャッターケース１の右端に存在する水排出部３５に導かれ、半円筒形状の空洞を介してレール内に流れ落ちるようになっている。シャッターケース１の左側半分でも同様にして、水案内手段３２を伝わって水排出部３４からレール内に流れ落ちるようになっている。
【００１７】
図８は、ガイドレール部分の詳細構成を示す図であり、シャッターケース側から下方（シャッターカーテン１２の閉鎖移動方向側）に向かって見た図であり、左右一対のガイドレールの一方側を示す図である。図８では、シャッターケース１を省略して示してある。ガイドレール１３は、基本的にレール本体１３１とレール受け１３２とレールカバー１３３などから構成される。図８のガイドレールは、そのレールカバー１３３が内まぐさ取付部６２に、レール受け１３２が外まぐさ取付部６１に接し、開口溝１３０１が構造物躯体の開口部を互いに挟むようにして立設される。通常、レール本体１３１は、構造物躯体開口部の左右の互いに向き合う側面部に開口する開口溝１３０１を有する断面略コの字状をしている。なお、この実施の形態では、図示しないダンパー手段等を収納するための空間部１３０９を備えた形状となっている。開口溝１３０１の対向する開口縁部分１３０２，１３０３には、互いに対向する支持片が一体（あるいは別体）に形成されており、この支持片の対向する内側壁面には、消音及び防塵機能を備えた消音防塵部材１３４，１３５が対向するように設けられている。
【００１８】
レール本体１３１の奥底（溝底）側には、レール本体１３１の長手方向に沿って連続する嵌入爪１３０５が形成されている。この嵌入爪１３０５に沿ってレール本体１３１の下側にのみレール補強部材４０が挿入されて取り付けられている。レール補強部材４０は、レール本体１３１の奥底（溝底）の嵌入爪１３０５に装着されるものであり、断面形状が略Ｌ字状をしている。レール補強部材４０の長さは、約６００［ｍｍ］程度であり、これよりも長くても短くても良いが、防犯性能の点では長い方が好ましい。
【００１９】
図８に示すように、レール本体１３１の下側には、レール受け１３２が設けられ、上側にはレールカバー１３３が設けられている。レール受け１３２は、図８に示すようにレール本体１３１の下側に設けられ、レール本体１３１と合体して、ガイドレール１３全体の形状を長方形状とするような略Ｌ字形状となっており、レール本体１３１にビスやリベットなどの固定具１３２１によって固定装着される。レールカバー１３３は、図８に示すようにレール本体１３１の上側にビスやリベットなどの固定具１３３１によって固定装着される。レールカバー１３３は、レール本体１３１の側面の各種固定具等を保護するカバーとして機能すると共に前述の水排出部３４，３５から流れ込む水をシャッター装置の下側に排出する排水路として機能する。すなわち、巻取体４に巻回されたシャッターカーテン１２から滴る水滴は、水カバー３１の上面側を流れ落ちて水案内手段３２，３３の外側に導かれ、シャッターケース１の右端に存在する水排出部３４，３５に導かれ、半円筒形状の空洞を介してその半円筒形状の空洞の出口直下に位置するレールカバー１３３内に流れ落ち、レールカバー１３３内を伝わって、床面に導かれるようになっている。このように水がレールカバー１３３内を伝わって床面に導かれることによって、水が周囲に飛び散りにくくなるという効果がある。
【００２０】
この実施の形態では、レール本体１３１は、前述のようにダンパー手段等を収納するための空間部１３０９を備えた形状となっており、この空間部１３０９の隣接する箇所に長方形状の空洞部１３１０が設けてある。この空洞部１３１０は、肉厚の薄いアルミ壁で構成され、バールなどによるこじ開けによって空洞部１３１０の長手方向にわたる一部分が潰れる構造となっている。バールなどを開口溝１３０１から侵入させて、シャッターカーテン１２を抜き出そうとした場合、この空洞部１３１０が潰れることによって、バールなどの支点となっている空洞部１３１０を構成している開閉体に垂直な壁面１３１１に対して、バールなどによってこじ開けようとする力がかからないようになっている。これによって、シャッターカーテン１２のガイドレール１３の開口溝１３０１からの抜け出し防止性能を高めることができる。なお、ガイドレールのレール本体１３１に空間部１３０９の存在しない場合でも同様の空洞部１３１０を開口溝１３０１の隣接する箇所に設けることが好ましい。
【００２１】
この実施の形態では、上述のような構造的に弱い空洞部１３１０を設けることによって、バールなどによるこじ開けに対してシャッターカーテン１２の抜け出し防止性能を高めるようにしているが、シャッターカーテン１２を構成するスラット１１に補強材を設けることによって、防犯性能をさらに高めるようにしている。
【００２２】
図９は、補強材の設けられた防犯スラットを示す図であり、図９（Ａ）は、この防犯スラットを開口部前面側から見た図であり、図９（Ｂ）は、図９（Ａ）の左側面図である。図９（Ｂ）に示すように、この実施の形態に係るシャッター装置を構成するスラット１１は、板厚の薄い金属製部材で形成されているので、金切り鋏などによる破壊行為を受けるおそれがある。そこで、この実施の形態では、スラット１１に補強材９０をビスやリベットなどの固定具９１〜９４によって取り付けることによって、シャッターカーテン１２自体を強度アップし、さらにシャッターカーテン１２の撓みを防止し、シャッターカーテン１２がガイドレールから抜け出さないようにしている。補強材９０は、図９に示すように、スラット１１よりも厚い凸状の長尺状の鉄板から構成されている。補強材９０は、その四隅を固定具９１〜９４によって取り付けられている。この固定具９１〜９４は、ガイドレール１３内に納まるような位置に設けられている。従って、長尺のスラット１１と補強材９０との間に隙間が形成されないように、複数箇所にスラット１１と補強材９０との間を両面テープ９５，９６で固着している。この両面テープはスラット１１及び補強材９０のほぼ中央付近に設けても、所定の間隔で複数箇所に設けても良い。なお、この両面テープ等の固着手段は、スラット１１の表面側（補強材９０を設けた面と逆の面）から見えないようにしてある。強部材９０をスラット１１に取り付けた場合、図９（Ｂ）に示すように、補強材９０はスラット１１のカール部よりスラット裏側へ突出しないようになっている。これによって、スラット１１が巻取体４に巻回されてもその巻取り径が補強材９０の分だけ大きくなることもなく、収まりがよくなる。また、この補強材９０は、シャッターカーテン１２を構成するスラット全部に設ける必要はなく、サムターンを有する錠を具備するスラットの上下方向の数枚のスラットに設けることが好ましい。
【００２３】
図１０は、本発明に係るシャッター装置のシャッターケース内部の変形例を示す図であり、内まぐさ、水カバー及び巻ひも装置を抜き出して示した図である。。図１０（Ａ）は、シャッターケースの上側から見た図であり、図１０（Ｂ）は、図１０（Ａ）の図中下側から見た図であり、図１０（Ｃ）は、図１０（Ｂ）の図中右側から見た側面図である。この変形例では、巻取体４への巻回時にシャッターカーテン１２同士が接触しないようにシャッターカーテン１２と同時に巻き取られるひもを供給収納する巻ひも装置１００をシャッターケースの底板側に設けている。この巻ひも装置１００は、ひもを巻き取る回転体とそれを軸支する部材で構成されている。この巻ひも装置１００が水カバー３１の取り付けられる内まぐさ３０の高さよりも大きいので、この変形例では、巻ひも装置１００と接触しないように、水カバー３１に巻ひも装置１００が突出可能な長方形状の開口部３１ａを設けるようにしている。なお、内まぐさ３０の高さが巻ひも装置１００よりも大きく、水カバー３１が巻ひも装置１００を十分に覆うことができる場合には、水カバー３１にはひもが通り抜ける開口部だけを設けるようにしてもよい。
【００２４】
上述の実施の形態では、水案内手段３２，３３を接着剤などで固定する場合について説明したが、シャッターケース１の底板を変形させて、同様のほぼ直線状の突出部を設けるようにしてもよい。また、底板を変形させる場合、突出部に限らず、ほぼ直線状の溝を設けるようにしてもよい。
【００２５】
上述の実施の形態では、開閉部材であるシャッターカーテンが下降しながら繰り出されて開口部を閉鎖するシャッター装置を例に説明したが、これ以外にも開閉部材が横引き方式で繰り出されたり、上昇方式で繰り出されたり、あるいは水平方式で繰り出されたりするものであっても同様に適用することができる。また、開閉体装置としては、例えば、オーバーヘッドドア装置を含むシャッター装置、ブラインド装置などに適用可能である。開閉体装置をシャッター装置とした場合、開閉体手段である開閉部材は、シャッターカーテンであり、その構成は、多数の短冊状のスラット材からなるスラットカーテン、多数のパイプ材をリンク材などで連結させてなるパイプグリルカーテン、一枚状あるいは多数連結されたパネル材からなるパネルカーテン、ネット材からなるネットカーテン、あるいはこれらの複合部材などからなる複合カーテンなどによるものである。また、開閉体手段である開閉部材の材質は、使用目的に応じたものであれば、どのようなものでもよい。具体的には、金属製、木製、プラスチック製、これらの複合されたものなどで構成することができる。開閉体装置としては、ガイドレール手段に沿って開閉移動するものであればよく、開閉体の収納形態は巻取式以外の送り込み式、折り畳み式、分離重合式などでもよい。また、開閉体手段は、開放や閉鎖の動作に、例えば電動モーターやエンジンなど動力装置の動力、人力、ばね力のいずれを用いるものでもよく、また自重や錘によって動作されるものであっても良い。
【図面の簡単な説明】
【００２６】
【図１】従来の開閉体装置の全体構成の一例を示す図である。
【図２】図１のガイドレールの取り付け状態を図１のシャッター装置の左側から見た図である。
【図３】本発明に係るシャッター装置のシャッターケース内部の構成を示す図である。
【図４】図３のシャッターケースをシャッターケース内の左側から見た側面図である。
【図５】図３のシャッターケースをシャッターケース内の下側から見た下面図である。
【図６】水案内手段がシャッターケースに底板にどのように設けられているのかを示す図であり、シャッターケースの底板と水案内手段とを抜き出して示した図である。
【図７】図３の上前面側からシャッターケースの一部を切り取って右ブラケット付近の内まぐさ取付部の水排出部と水案内手段との関係を示す図である。
【図８】ガイドレール部分の詳細構成を示す図であり、シャッターケース側から見た図であり、左右一対のガイドレールの一方側を示す図である。
【図９】補強材の設けられた防犯スラットを示す図であり、図９（Ａ）は、この防犯スラットを開口部前面側から見た図であり、図９（Ｂ）は、図９（Ａ）の左側面図である。
【図１０】本発明に係るシャッター装置のシャッターケース内部の変形例を示す図である。
【符号の説明】
【００２７】
１…シャッターケース
２…巻取シャフト
１０…シャッター装置
１１…スラット
１２…シャッターカーテン
１３，１４…ガイドレール
４…巻取体
１ａ，１ｂ…ブラケット
１ｃ…中心軸
１ｄ…ホイール部材
１ｅ…連結バー
１ｆ…コイルバネ
３１…水カバー
３０…内まぐさ
３２，３３…水案内手段
３４，３５…水排出部
４０…レール補強部材
６１…外まぐさ取付部
６２…内まぐさ取付部
１３１…レール本体
１３２…レール受け
１３３…レールカバー
１３０１…開口溝
１３０９，１３１０…空間部
１３０２，１３０３…開口縁部分
１３４，１３５…消音防塵部材
１３０５…嵌入爪
１３２１…固定具
１３３１…固定具
９１〜９４…固定具
９０…補強材
９５，９６…両面テープ
１００…巻ひも装置
【図１】
2008082033.tif 000003
【図２】
2008082033.tif 000004
【図３】
2008082033.tif 000005
【図４】
2008082033.tif 000006
【図５】
2008082033.tif 000007
【図６】
2008082033.tif 000008
【図７】
2008082033.tif 000009
【図８】
2008082033.tif 000010
【図９】
2008082033.tif 000011
【図１０】
2008082033.tif 000012